(57)【要約】【課題】フック装置を利用して起立状態にされた板状体を安定的に支持できるようにする。【解決手段】ケース体２の前面２０１から前方に突き出すように付勢され、かつ、この付勢に抗して後退移動可能に備えられたフック体１と、ケース体２の前面２０１から前方に突き出すように備えられる支持体３とを有している。支持体３の側部とフック体１の側部との間に支持対象となる板状体Ｐの上下方向に沿った端部Ｐａを挟み込み可能な間隔ｘが形成されており、しかも、フック体１における支持体３に向けられた側部と、この側部に対向する側部とにはそれぞれ、フック体１の突き出し端に向かうに連れてこのフック体１を細める向きに傾斜した傾斜面１００が形成してある。【選択図】図３
2005075099.tif 000002
【特許請求の範囲】
【請求項１】
壁部に組み込まれるケース体と、
このケース体の前面から前方に突き出すように付勢され、かつ、この付勢に抗して後退移動可能にこのケース体に備えられたフック体と、
ケース体の前面から前方に突き出すように備えられる支持体とを有していると共に、
この支持体の側部とフック体の側部との間に支持対象となる板状体の上下方向に沿った端部を挟み込み可能な間隔が形成されており、
しかも、フック体における支持体に向けられた側部と、この側部に対向する側部とにはそれぞれ、フック体の突き出し端に向かうに連れてこのフック体を細める向きに傾斜した傾斜面が形成してあることを特徴とするフック装置。
【請求項２】
ケース体の前面が開放されていると共に、
このケース体の開放された前面を塞ぐ閉塞位置からこのケース体内に納まった収納位置までの間での回動を可能にした状態でこのケース体に組み付けられたベース体を有しており、
このベース体にフック体と支持体とが備えられて、閉塞位置にあるベース体によって、
フック体が、ケース体の前面から前方に突き出すように位置づけられ、
かつ、支持体が、ケース体の前面から前方に突き出すように位置づけられるようにしてあることを特徴とする請求項１記載のフック装置。
【請求項３】
ベース体を収納位置に位置づけた状態において、ケース体の開放された前面を支持体が塞ぐように構成されていることを特徴とする請求項２記載のフック装置。
【請求項４】
収納位置にあるベース体を閉塞位置に向けて回動させる向きに付勢させる付勢手段を有していると共に、
ケース体に、ベース体が収納位置にある状態において、ケース体の開放された前面を塞ぐ支持体の被掛合部に解除可能に掛合される掛合部が備えられていることを特徴とする請求項３記載のフック装置。
【請求項５】
支持体が、ケース体に対し、前後方向に移動可能に備えられており、後退移動操作によってケース体内に収納されるようにしてあることを特徴とする請求項１記載のフック装置。
【請求項６】
支持体が、ケース体の前面を覆った折り畳み位置からこのケース体の前面から突き出す起立位置までの間での回動を可能にした状態でこのケース体に組み付けられていると共に、
この支持体に、折り畳み位置においてフック体が入り込む貫通穴が形成してあることを特徴とする請求項１記載のフック装置。
【発明の詳細な説明】
【技術分野】
【０００１】
この発明は、フック体を有し、このフック体によって各種の物品などを引っかけて吊り下げ状に支持する機能を持つと共に、板状体の上下方向に沿った端部を挟み込み状に支持して、この板状体の起立状態を維持する機能を併せ持ったフック装置に関する。
【背景技術】
【０００２】
自動車の室内などにおいて、各種の物品などを吊り下げ状に支持するフック装置ないしハンガーとして、特許文献１および特許文献２に示される出没式のものがある。
【０００３】
しかるに、これらのものはフックとしての機能しか有していないものであった。
【特許文献１】実開昭６１−１９０７３０号公報
【特許文献２】実開昭６２−１８５１４１号公報
【発明の開示】
【発明が解決しようとする課題】
【０００４】
解決しようとする課題は、自動車の室内などにおいて各種の物品などを吊り下げ状に支持するために用いられるフック装置を利用して、起立状態にされた板状体を安定的に支持できるようにする点にある。
【課題を解決するための手段】
【０００５】
この発明の前記課題は、フック装置を、以下の（１）〜（5）の要素を有するものとすることで、達成することができる。
（１）壁部に組み込まれるケース体と、
（２）このケース体の前面から前方に突き出すように付勢され、かつ、この付勢に抗して後退移動可能にこのケース体に備えられたフック体と、
（３）ケース体の前面から前方に突き出すように備えられる支持体とを有していると共に、
（４）この支持体の側部とフック体の側部との間に支持対象となる板状体の上下方向に沿った端部を挟み込み可能な間隔が形成されており、
（５）しかも、フック体における支持体に向けられた側部と、この側部に対向する側部とにはそれぞれ、フック体の突き出し端に向かうに連れてこのフック体を細める向きに傾斜した傾斜面が形成してある。
【０００６】
かかる構成によれば、フック体を利用して各種の物品を吊り下げ状に壁部に支持させることができる。
【０００７】
また、フック体の側部と支持体の側部との間には、支持対象となる板状体の上下方向に沿った端部を挟み込み可能な間隔が形成されていることから、起立状態にある板状体のかかる端部をフック体と支持体との間で挟み込み、この板状体の起立状態を維持させることができる。
【０００８】
また、フック体は、かかるケース体の前面から前方に突き出すように付勢され、かつ、この付勢に抗して後退移動可能にこのケース体に備えられていると共に、フック体における支持体に向けられた側部（以下第一側部という。）と、この側部に対向する側部（以下第二側部という。）とにはそれぞれ、フック体の突き出し端に向かうに連れてこのフック体を細める向きに傾斜した傾斜面が形成してあることから、前記板状体の端部をフック体の第二側部に突き当てさせるようにこの板状体を移動させることに伴ってこの突き当たりにより前記付勢に抗してフック体を後退移動させることができる。
【０００９】
そして、このように後退移動されたフック体の突き出し端を板状体の端面に突き当てさせながら支持体の側部に板状体の移動前方側にある面が突き当てられる位置まで板状体を移動させることができる。支持体の側部とフック体の第一側部との間には板状体の端部を挟み込み可能な間隔が形成されていることから、支持体の側部に突き当てられる位置まで板状体が移動されるとフック体は付勢により前進移動され、このように前進移動されたフック体の第一側部と支持体の側部との間で板状体の端部が挟み込まれ、この板状体の起立状態が維持される。
【００１０】
また、このようにフック体の第一側部と支持体の側部との間で板状体の端部を挟み込ませて板状体の起立状態を維持させた状態は、板状体に前記移動前の位置に戻す向きの移動力を付与させることにより、ワンタッチで解除させることができる。すなわち、板状体にこのような移動力が作用されるように板状体を操作すると、この板状体の両面のうち、フック体の第一側部に向けられた面がこの第一側部に押しつけられ、フック体は付勢に抗して再び後退移動され、このフック体の後退移動によってこのフック体と支持体との間から板状体の端部を抜け出させることができる。再び後退移動されたフック体は、このフック体と支持体との間から板状体の端部が抜け出されると再び付勢により前進移動され、各種の物品を吊り下げ状に支持可能とする状態に戻る。
【００１１】
また、この発明の前記課題は、前記フック装置におけるケース体の前面が開放されていると共に、
このケース体の開放された前面を塞ぐ閉塞位置からこのケース体内に納まった収納位置までの間での回動を可能にした状態でこのケース体に組み付けられたベース体を有しており、
このベース体にフック体と支持体とが備えられて、閉塞位置にあるベース体によって、
フック体が、ケース体の前面から前方に突き出すように位置づけられ、
かつ、支持体が、ケース体の前面から前方に突き出すように位置づけられるようにしておくことにより、より良く達成することができる。
【００１２】
このようにした場合、ベース体を収納位置に位置づけておくことにより、壁部に組み込まれたフック装置を邪魔にならないようにしておくことができる。
【００１３】
また、このようにした場合には、ベース体を収納位置に位置づけた状態において、ケース体の開放された前面を支持体が塞ぐように構成させておくことができる。
【００１４】
このようにした場合、ベース体を収納位置に位置づけておくことにより、壁部に組み込まれたフック装置を邪魔にならないようにしておくことができると共に、この収納位置においてケース体の開放された前面を支持体によって見栄え良く塞ぐことができる。
【００１５】
また、このようにした場合には、収納位置にあるベース体を閉塞位置に向けて回動させる向きに付勢させる付勢手段を有していると共に、
ケース体に、ベース体が収納位置にある状態において、ケース体の開放された前面を塞ぐ支持体の被掛合部に解除可能に掛合される掛合部が備えられている構成とすることができる。
【００１６】
収納位置にあるベース体は閉塞位置に向けて回動する向きに前記付勢手段により付勢されているが、前記掛合部が支持体の被掛合部に掛合されていることから、このベース体の収納状態は安定的に維持される。
【００１７】
この掛合部と被掛合部の掛合を解くと、前記付勢手段の付勢によりベース体は閉塞位置まで移動され、このように移動されてケース体の開放された前面を塞ぐと共に、ケース体の前面に前方に向けて突き出すように支持体とフック体とが位置づけられる。
【００１８】
このようにベース体が閉塞位置にある状態から、支持体がケース体の開放された前面を塞ぐ位置まで、つまり、ベース体を収納位置まで回動させ、再びこの支持体の被掛合部に掛合部を掛合させることにより、再び、ベース体のこの収納位置にある状態を安定的に維持させることができる。
【００１９】
支持体が、ケース体に対し、前後方向に移動可能に備えられており、後退移動操作によってケース体内に収納されるようにしてあるようにもすることができる。
【００２０】
このようにした場合、支持体を後退位置に置いた状態においては、フック体のみがフック装置が備え付けられる壁部から突き出されるようにしておくことができる。また、支持体を前進位置まで移動させた後、フック体に板状体の端部を突き当てさせて乗り越えさせることにより、かかるフック体と支持体との間でこの板状体の端部を挟み込むことができる。このように挟み込まれた板状体に再びフック体を乗り越えさせる向きの力を作用させると、フック体は前記付勢に抗する向きに後退移動され、板状体の端部を再びフック体と支持体との間から抜け出させることができる。
【００２１】
また、支持体が、ケース体の前面を覆った折り畳み位置からこのケース体の前面から突き出す起立位置までの間での回動を可能にした状態でこのケース体に組み付けられていると共に、
この支持体に、折り畳み位置においてフック体が入り込む貫通穴が形成してあるようにもすることができる。
【００２２】
このようにした場合、支持体を折り畳み位置に置いた状態においては、この支持体の貫通穴を通じて突き出されるフック体のみがフック装置が備え付けられる壁部から突き出されるようにしておくことができる。また、支持体を起立位置まで回動させた後、フック体に板状体の端部を突き当てさせて乗り越えさせることにより、かかるフック体と支持体との間でこの板状体の端部を挟み込むことができる。このように挟み込まれた板状体に再びフック体を乗り越えさせる向きの力を作用させると、フック体は前記付勢に抗する向きに後退移動され、板状体の端部を再びフック体と支持体との間から抜け出させることができる。
【発明の効果】
【００２３】
この発明にかかるフック装置によれば、自動車の室内などにおいて各種の物品などを吊り下げ状に支持することができると共に、起立状態にされた板状体を安定的に支持することができる。
【発明を実施するための最良の形態】
【００２４】
以下、図１ないし図１３に基づいて、この発明を実施するための最良の形態について説明する。
【００２５】
なお、ここで図１ないし図７は、この発明の具体的な実施例の一つ（第一実施例）を示しており、また、図８および図９は他の実施例の一つ（第二実施例）を、図１０および図１１は、さらに他の実施例の一つ（第三実施例）を、図１２および図１３は、さらに他の実施例の一つ（第四実施例）を、それぞれ示している。
【００２６】
この実施の形態にかかるフック装置Ｆは、フック体１を有し、このフック体１によって各種の物品などを引っかけて吊り下げ状に支持する機能を持つと共に、板状体の上下方向に沿った端部を挟み込み状に支持して、この板状体の起立状態を維持する機能を併せ持ったものである。
【００２７】
かかるフック装置Ｆは、典型的には、自動車などの乗り物の室内の壁部Ｈなどに取り付けられて、こうした乗り物の室内においてそのフック体１をもって衣服や袋物、コードやネットなどの各種の物品を引っかけ状に支持するように用いられると共に、こうした乗り物の室内において必要に応じて起立状態をとるように可動される各種の板状体Ｐにおけるこの起立状態を維持させるように用いられる。
【００２８】
こうした板状体Ｐとしては、自動車に用いられる場合を例にとれば、ワゴンタイプの自動車のリヤトランクを伏倒状態において塞ぐリヤトランクボードなどが予定される。かかるリヤトランクボードを起立させることによりリヤトランクは開放されることとなるが、このように起立されたリヤトランクボードの上下方向に沿った端部Ｐａを自動車の室内の壁部Ｈに取り付けさせたフック装置Ｆによって支持することにより、このリヤトランクの開放状態を安定的に維持することができることとなる。
【００２９】
かかるフック装置Ｆは、
（１）ケース体２と、
（２）フック体１と、
（３）支持体３と、
を備えている。
【００３０】
ケース体２は、前面２０１と背板部２０２と天板部２０３と底板部２０４と側板部２０５を有しており、前面２０１を前にして壁部Ｈに形成された取り付け穴Ｈａに入れ込まれ組み込まれるように構成されている。
【００３１】
フック体１は、かかるケース体２の前面２０１から前方に突き出すように付勢され、かつ、この付勢に抗して後退移動可能にこのケース体２に備えられている。
【００３２】
支持体３は、ケース体２の前面２０１から前方に突き出すように備えられている。
【００３３】
そして、かかる支持体３の側部とフック体１の側部との間に支持対象となる板状体Ｐの上下方向に沿った端部Ｐａを挟み込み可能な間隔ｘが形成されており、
しかも、フック体１における支持体３に向けられた側部と、この側部に対向する側部とにはそれぞれ、フック体１の突き出し端に向かうに連れてこのフック体１を細める向きに傾斜した傾斜面１００が形成してある。
【００３４】
これにより、かかるフック装置Ｆにあっては、フック体１を利用して各種の物品を吊り下げ状に壁部Ｈに支持させることができる。
【００３５】
また、フック体１の側部と支持体３の側部との間には、支持対象となる板状体Ｐの上下方向に沿った端部Ｐａを挟み込み可能な間隔ｘが形成されていることから、起立状態にある板状体Ｐのかかる端部Ｐａをフック体１と支持体３との間で挟み込み、この板状体Ｐの起立状態を維持させることができる。
【００３６】
また、フック体１は、かかるケース体２の前面２０１から前方に突き出すように付勢され、かつ、この付勢に抗して後退移動可能にこのケース体２に備えられていると共に、フック体１における支持体３に向けられた側部（以下第一側部１０１という。）と、この側部に対向する側部（以下第二側部１０２という。）とにはそれぞれ、フック体１の突き出し端に向かうに連れてこのフック体１を細める向きに傾斜した傾斜面１００が形成してあることから、前記板状体Ｐの端部Ｐａをフック体１の第二側部１０２に突き当てさせるようにこの板状体Ｐを移動させることに伴ってこの突き当たりにより前記付勢に抗してフック体１を後退移動させることができる。具体的には、かかる板状体Ｐの移動によって、板状体Ｐの端部Ｐａにおける板状体Ｐの厚さ方向にある端面Ｐｂとの間に隅部を形成させる板状体Ｐの両面Ｐｃ、Ｐｄのうち、板状体Ｐの移動前方側にある面Ｐｃがフック体１の第二側部１０２に押し当てられ、この押し当たりによってフック体１は後退移動される。そして、このように後退移動されたフック体１の突き出し端を板状体Ｐの端面Ｐｂに突き当てさせながら支持体３の側部に板状体Ｐの移動前方側にある面Ｐｃが突き当てられる位置まで板状体Ｐを移動させることができる。支持体３の側部とフック体１の第一側部１０１との間には板状体Ｐの端部Ｐａを挟み込み可能な間隔ｘが形成されていることから、支持体３の側部に突き当てられる位置まで板状体Ｐが移動されるとフック体１は付勢により前進移動され、このように前進移動されたフック体１の第一側部１０１と支持体３の側部との間で板状体Ｐの端部Ｐａが挟み込まれ、この板状体Ｐの起立状態が維持される。
【００３７】
また、このようにフック体１の第一側部１０１と支持体３の側部との間で板状体Ｐの端部Ｐａを挟み込ませて板状体Ｐの起立状態を維持させた状態は、板状体Ｐに前記移動前の位置に戻す向きの移動力を付与させることにより、ワンタッチで解除させることができる。すなわち、板状体Ｐにこのような移動力が作用されるように板状体Ｐを操作すると、この板状体Ｐの両面Ｐｃ、Ｐｄのうち、フック体１の第一側部１０１に向けられた面Ｐｄがこの第一側部１０１に押しつけられ、フック体１は付勢に抗して再び後退移動され、このフック体１の後退移動によってこのフック体１と支持体３との間から板状体Ｐの端部Ｐａを抜け出させることができる。再び後退移動されたフック体１は、このフック体１と支持体３との間から板状体Ｐの端部Ｐａが抜け出されると再び付勢により前進移動され、各種の物品を吊り下げ状に支持可能とする状態に戻る。
【００３８】
（第一実施例）
図１ないし図７は、かかるフック装置Ｆの具体的な実施形態の一つを示している。
【００３９】
この図１ないし図７に示される例にあっては、
ケース体２の前面２０１が開放されていると共に、
このケース体２の開放された前面２０１を塞ぐ閉塞位置からこのケース体２内に納まった収納位置までの間での回動を可能にした状態でこのケース体２に組み付けられたベース体４を有しており、
このベース体４にフック体１と支持体３とが備えられて、閉塞位置にあるベース体４によって、
フック体１が、ケース体２の前面２０１から前方に突き出すように位置づけられ、
かつ、支持体３が、ケース体２の前面２０１から前方に突き出すように位置づけられるようにしてある。
【００４０】
これにより、この図１ないし図７に示される例にあっては、ベース体４を収納位置に位置づけておくことにより、（図１）壁部Ｈに組み込まれたフック装置Ｆを邪魔にならないようにしておくことができる。
【００４１】
具体的には、図示の例にあっては、ケース体２は、前面２０１に横向きに細長い開口部２０６を備えた扁平の箱状をなすように構成されている。ケース体２は開口部２０６を巡るフランジ２０７を有し、壁部Ｈの取り付け穴Ｈａの穴縁にこのフランジ２０７の背面を突き当てさせる位置までこの取り付け穴Ｈａに入れ込まれて設置されるようになっている。
【００４２】
ベース体４は、閉塞位置において、このケース体２の開口部２０６を塞ぐ大きさを備えた細長い盤状をなすように構成されている。そして、かかるベース体４は、その一端部Ｐａにおいて、鉛直方向にほぼ軸線を沿わせた軸体２０８をもって、ケース体２の開口部２０６の一端側に回動可能に組み付けられており、このベース体４によってケース体２の開口部２０６を塞いだ閉塞位置（図２の位置）から、このベース体４の背面４００をケース体２の両側板部２０５、２０５の一方の内面に沿わせる収納位置までの間で、この軸体２０８を中心に回動できるようになっている。
【００４３】
図示の例ではまた、このように構成されるベース体４の前面４０１であって、軸体２０８による回動組み付け位置側に、支持体３が設けられている。図示の例では、かかる支持体３は、ベース体４の前面４０１に一端を一体に連接させて、この前面２０１にほぼ直交する向きに突き出す板状をなすように構成されている。図示の例では、前記軸体２０８による回動組み付け位置から支持体３の突き出し端までの寸法が、ケース体２の開口部２０６の長さ寸法とほぼ等しく、かつ、この支持体３もかかる開口部２０６を塞ぐ大きさを持つように構成されている。
【００４４】
また、図示の例にあっては、かかるベース体４における軸体２０８による回動組み付け側と反対の端部Ｐａ側に、閉塞位置にあるこのベース体４の前面４０１から前方に常時突き出す向きに付勢された状態でフック体１が組み込まれている。
【００４５】
図示の例にあっては、ベース体４に、このベース体４の前面４０１において開放されてこのベース体４の背面４００側に向けて窪み込んだフック体１の収納凹部４０２が形成されていると共に、突き出し端をフック端１０３としたフック体１のこのフック端１０３と反対の側をこの収納凹部４０２に常時納めるようにしてこの収納凹部４０２にフック体１が組み込まれている。
【００４６】
図示の例では、フック体１のフック端１０３と反対の端部にバネ一端を常時圧接させ、かつ、収納凹部４０２の内奥部にバネ他端を常時圧接させた圧縮コイルバネ４０３がこの収納凹部４０２に組み込まれており、このバネ４０３によってフック体１が常時前記のように付勢されるようになっている。
【００４７】
図示の例ではまた、フック体１のフック端１０３と反対の端部に、収納凹部４０２の入り口部に形成された規制突部４０４に突き当たる抜け止め突部１０４が形成されており、この規制突部４０４に抜け止め突部１０４が突き当てられる位置より先には前記バネ４０３の付勢によりフック体１は突き出されないようになっている。また、かかるフック体１は、かかるバネ４０３の付勢に抗してそのフック端１０３を収納凹部４０２の入り口部とほぼ同じレベルに位置づける位置まで後退移動できるようになっている。
【００４８】
図示の例では、かかるフック体１は、その突き出し端に向かうに連れて両側部の側部面をそれぞれ他方の側部の側部面に近づける向きに湾曲させるように形成されており、平面視の状態において、前記収納凹部４０２から突き出される箇所の外郭形状を山形状としている。そして、図示の例にあっては、このように構成されるフック体１の突き出し端であって、その上方に向けられた側に、上方に向けて突き出される突部１０５が形成されており、この突部１０５によってフック体１の突き出し端がフック端１０３として機能するようになっている。
【００４９】
また、図示の例にあっては、かかるベース体４を収納位置に位置づけた状態において、ケース体２の開放された前面２０１、つまり、前記開口部２０６が支持体３によって塞がれるようになっている。
【００５０】
図示の例にあっては、ベース体４の前面４０１と支持体３の突き出し方向がほぼ直交するようになっており、閉塞位置にあるベース体４を収納位置まで回動させると支持体３が閉塞位置にあったベース体４と同じ位置に移動され、ケース体２の開口部２０６をこのように移動された支持体３によって閉塞できるようになっている。
【００５１】
これにより、この図１ないし図７に示される例にあっては、ベース体４を収納位置に位置づけておくことにより、壁部Ｈに組み込まれたフック装置Ｆを邪魔にならないようにしておくことができると共に、この収納位置においてケース体２の開放された前面２０１を支持体３によって見栄え良く塞ぐことができる。
【００５２】
また、図示の例にあっては、収納位置にあるベース体４を閉塞位置に向けて回動させる向きに付勢させる付勢手段２０９を有していると共に、
ケース体２に、ベース体４が収納位置にある状態において、ケース体２の開放された前面２０１を塞ぐ支持体３の被掛合部３００に解除可能に掛合される掛合部２１１が備えられている。
【００５３】
具体的には、図示の例にあっては、前記軸体２０８に巻回部を巻き付けるようにして備えられたねじりコイルバネ２１０のバネ一端がケース体２に止着されると共に、このバネ２１０のバネ他端がベース体４に止着されており、このバネ２１０によって収納位置にあるベース体４が前記のように付勢されるようになっている。すなわち、図示の例にあっては、かかるバネ２１０によって前記付勢手段２０９を構成させている。
【００５４】
また、図示の例にあっては、ケース体２におけるベース体４の回動組み付け側と反対の側に、弾性腕２１２によって支持された掛合体２１３が設けられており、ケース体２の開口部２０６の内方にこの掛合体２１３の一部が側方から入り込むようになっている。そして、この掛合体２１３の一部が、ベース体４が収納位置にある状態において、ケース体２の開放部を塞ぐ支持体３におけるベース体４との連接側と反対の端部に前方から引っかかるようになっている。すなわち、図示の例にあっては、かかる掛合体２１３の一部が前記掛合部２１１となり、この掛合部２１１に引っかけられる支持体３の端部が被掛合部３００として機能するようになっている。
【００５５】
収納位置にあるベース体４は閉塞位置に向けて回動する向きに前記付勢手段２０９により付勢されているが、前記掛合部２１１が支持体３の被掛合部３００に掛合されていることから、このベース体４の収納状態は安定的に維持される。
【００５６】
この掛合部２１１と被掛合部３００の掛合を解くと、図示の例にあっては、掛合体２１３の一部がケース体２の開口部２０６に入り込まない位置まで弾性腕２１２を弾性変形させながらこの掛合体２１３を移動操作すると、前記付勢手段２０９の付勢によりベース体４は閉塞位置まで移動され、このように移動されてケース体２の開放された前面２０１を塞ぐと共に、ケース体２の前面２０１に前方に向けて突き出すように支持体３とフック体１とが位置づけられる。
【００５７】
このようにベース体４が閉塞位置にある状態から、支持体３がケース体２の開放された前面２０１を塞ぐ位置まで、つまり、ベース体４を収納位置まで回動させ、再びこの支持体３の被掛合部３００に掛合部２１１を掛合させることにより、再び、ベース体４のこの収納位置にある状態を安定的に維持させることができる。図示の例にあっては、このように回動される過程で支持体３の端部が開口部２０６の内方に入り込んでいる掛合体２１３の一部に突き当てられると共に、この突き当たりによって弾性腕２１２が一旦弾性変形して掛合体２１３の一部を支持体３の端部が前方から乗り越えることが許容され、この乗り越え後の弾性腕２１２の弾発によって支持体３の端部に掛合体２１３の一部が再び前方から引っかかるようになっている。
【００５８】
（第二実施例）
図８および図９は、かかるフック装置Ｆの具体的な実施形態の他の一つを示している。
【００５９】
この図８および図９に示される例にあっては、細長いケース体２の前面２０１のうち、その一方端側に、フック体１の突き出し開口２１４が形成されており、フック体１は、この突き出し開口２１４からフック端１０３側を前方に突き出した状態で組み付けられている。フック体１は、常時、この突き出し状態を維持するように付勢されており、また、この付勢に抗した押し込み方向への力を受けることにより、ケース体２内に後退移動するようになっている。
【００６０】
ケース体２の前面２０１のうち、フック体１の突き出し開口２１４の隣には、支持体３の収納凹部２１５が形成されている。この例にあっては、かかる支持体３は方形の板状をなすように構成されている。また、かかる支持体３は、かかる収納凹部２１５におけるケース体２の前面２０１の他方端部に近い箇所において縦向きに軸線を配させた軸体２１６によってケース体２に回動可能に組み付けられており、収納凹部２１５を塞いだ折り畳み位置から、ケース体２の前面２０１から前方に突き出した起立位置までの間での回動をできるようになっている。
【００６１】
また、かかる例にあっては、図示しない付勢手段によって、折り畳み位置にある支持体３は常時起立位置に向けて回動する向きに付勢されているが、折り畳み位置にある支持体３の回動組み付け側と反対の縁部に前方から掛合体２１７が掛合状態の解除操作可能に掛合するようになっており、これにより支持体３の折り畳み位置にある状態が維持されるようになっている。
【００６２】
掛合体２１７のかかる掛合を解く操作をして前記付勢手段の付勢によって支持体３を起立位置まで回動させた後、フック体１に板状体Ｐの端部Ｐａを突き当てさせて乗り越えさせることにより、かかるフック体１と支持体３との間でこの板状体Ｐの端部Ｐａを挟み込むことができる。このように挟み込まれた板状体Ｐに再びフック体１を乗り越えさせる向きの力を作用させると、フック体１は前記付勢に抗する向きに後退移動され、板状体Ｐの端部Ｐａを再びフック体１と支持体３との間から抜け出させることができる。
【００６３】
この図８および図９に示されるその余の構成は図１ないし図７に示される例と実質的に同一であることから、この実質的に同一の構成部分については、図８および図９に図１ないし図７において用いた符号と同一の符号を付して、その説明を省略する。
【００６４】
（第三実施例）
図１０および図１１は、かかるフック装置Ｆの具体的な実施形態のさらに他の一つを示している。
【００６５】
この図１０および図１１に示される例にあっては、細長いケース体２の前面２０１のうち、その一方端側に、フック体１の突き出し開口２１８が形成されており、フック体１は、この突き出し開口２１８からフック端１０３側を前方に突き出した状態で組み付けられている。フック体１は、常時、この突き出し状態を維持するように付勢されており、また、この付勢に抗した押し込み方向への力を受けることにより、ケース体２内に後退移動するようになっている。
【００６６】
また、この図１０および図１１に示される例にあっては、支持体３が、ケース体２の前面２０１を覆った折り畳み位置からこのケース体２の前面２０１から突き出す起立位置までの間での回動を可能にした状態でこのケース体２に組み付けられている。すなわち、かかる例にあっては、細長いケース体２の前面２０１をほぼ覆う大きさを備えた支持体３が、かかるケース体２の前面２０１の他方端部に近い箇所において縦向きに軸線を配させた軸体２１９によってケース体２に回動可能に組み付けられており、ケース体２の前面２０１を覆った折り畳み位置から、ケース体２の前面２０１から前方に突き出した起立位置までの間での回動をできるようになっている。
【００６７】
また、かかる支持体３には、折り畳み位置においてフック体１が入り込む貫通穴３０１が形成してある。
【００６８】
これにより、かかる例にあっては、支持体３を折り畳み位置に置いた状態においては、この支持体３の貫通穴３０１を通じて突き出されるフック体１のみがフック装置Ｆが備え付けられる壁部Ｈから突き出されるようにしておくことができる。また、支持体３を起立位置まで回動させた後、フック体１に板状体Ｐの端部Ｐａを突き当てさせて乗り越えさせることにより、かかるフック体１と支持体３との間でこの板状体Ｐの端部Ｐａを挟み込むことができる。このように挟み込まれた板状体Ｐに再びフック体１を乗り越えさせる向きの力を作用させると、フック体１は前記付勢に抗する向きに後退移動され、板状体Ｐの端部Ｐａを再びフック体１と支持体３との間から抜け出させることができる。
【００６９】
また、かかる例にあっては、図示しない付勢手段によって、折り畳み位置にある支持体３は常時起立位置に向けて回動する向きに付勢されているが、折り畳み位置にある支持体３の回動組み付け側と反対の縁部に前方から掛合体２２０が掛合状態の解除操作可能に掛合するようになっており、これにより支持体３の折り畳み位置にある状態が維持されるようになっている。
【００７０】
この図１０および図１１に示されるその余の構成は図１ないし図７に示される例と実質的に同一であることから、この実質的に同一の構成部分については、図１０および図１１に図１ないし図７において用いた符号と同一の符号を付して、その説明を省略する。
【００７１】
（第四実施例）
図１２および図１３は、かかるフック装置Ｆの具体的な実施形態のさらに他の一つを示している。
【００７２】
この図１２および図１３に示される例にあっては、細長いケース体２の前面２０１のうち、その一方端側に、フック体１の突き出し開口２２１が形成されており、フック体１は、この突き出し開口２２１からフック端１０３側を前方に突き出した状態で組み付けられている。フック体１は、常時、この突き出し状態を維持するように付勢されており、また、この付勢に抗した押し込み方向への力を受けることにより、ケース体２内に後退移動するようになっている。
【００７３】
また、この図１２および図１３に示される例にあっては、支持体３が、ケース体２に対し、前後方向に移動可能に備えられており、後退移動操作によってケース体２内に収納されるようにしてある。かかる例にあっては、細長いケース体２の前面２０１の他方端部に近い箇所に、板状をなす支持体３の繰り出し開口２２２が形成されていると共に、この繰り出し開口２２２を通じて支持体３がケース体２の前面２０１から前方に突き出され、かつ、後退移動操作によってケース体２内に収納されるようになっている。かかる例にあっては、例えば、プッシュ−プッシュ式のラッチ装置をケース体２内に内蔵し、後退移動位置において繰り出し開口２２２に臨んだ支持体３の端部を押し込むことによりこのプッシュ−プッシュ式のラッチ装置を構成するバネの作用により支持体３が前進移動し、この移動によって突き出しきられた支持体３を再度押し込み操作することにより、かかるバネの付勢に抗して再び支持体３がケース体２内に収納されるようにしておく。
【００７４】
かかる例にあっては、支持体３を後退位置に置いた状態においては、フック体１のみがフック装置Ｆが備え付けられる壁部Ｈから突き出されるようにしておくことができる。また、支持体３を前進位置まで移動させた後、フック体１に板状体Ｐの端部Ｐａを突き当てさせて乗り越えさせることにより、かかるフック体１と支持体３との間でこの板状体Ｐの端部Ｐａを挟み込むことができる。このように挟み込まれた板状体Ｐに再びフック体１を乗り越えさせる向きの力を作用させると、フック体１は前記付勢に抗する向きに後退移動され、板状体Ｐの端部Ｐａを再びフック体１と支持体３との間から抜け出させることができる。
【００７５】
この図１２および図１３に示されるその余の構成は図１ないし図７に示される例と実質的に同一であることから、この実質的に同一の構成部分については、図１２および図１３に図１ないし図７において用いた符号と同一の符号を付して、その説明を省略する。
【図面の簡単な説明】
【００７６】
【図１】第一実施例にかかるフック装置Ｆの斜視構成図（ベース体４収納状態）
【図２】同斜視構成図（ベース体４によりケース体２の開放された前面２０１を閉塞させた状態）
【図３】同平面構成図
【図４】同要部側断面構成図
【図５】同要部平断面構成図
【図６】同正面構成図
【図７】同側面構成図
【図８】第二実施例にかかるフック装置Ｆの斜視構成図（支持体３折り畳み状態）
【図９】同斜視構成図（支持体３起立状態）
【図１０】第三実施例にかかるフック装置Ｆの斜視構成図（支持体３折り畳み状態）
【図１１】同斜視構成図（支持体３起立状態）
【図１２】第四実施例にかかるフック装置Ｆの斜視構成図（支持体３後退状態）
【図１３】同斜視構成図（支持体３前進状態）
【符号の説明】
【００７７】
Ｆ  フック装置
Ｈ  壁部
Ｐ  板状体
Ｐａ  端部
ｘ  間隔
１  フック体
１００  傾斜面
２  ケース体
３  支持体
【図１】
2005075099.tif 000003
【図２】
2005075099.tif 000004
【図３】
2005075099.tif 000005
【図４】
2005075099.tif 000006
【図５】
2005075099.tif 000007
【図６】
2005075099.tif 000008
【図７】
2005075099.tif 000009
【図８】
2005075099.tif 000010
【図９】
2005075099.tif 000011
【図１０】
2005075099.tif 000012
【図１１】
2005075099.tif 000013
【図１２】
2005075099.tif 000014
【図１３】
2005075099.tif 000015